(57)【特許請求の範囲】
【請求項１】
電動送風機の駆動により被掃除面と対向する吸込口から塵埃を吸引する電気掃除機において、
前記吸込口が移動しているか否かを検出する検出手段と、
この検出手段の検出結果に基づいて前記電動送風機を制御する制御手段とを備え、
前記検出手段は、プラス接点部とマイナス接点部とが所定の間隔をもって離間するとともに同極の接点部が隣接する配置を有するように形成された接動面と、この接動面の変動によって前記接動面上を移動する導電体と、前記互いに隣接する同極の接点部の間に位置するように前記導電体の移動を規制する規制手段とを有し、
前記導電体の移動により前記プラス接点部とマイナス接点部との導通、非導通が繰り返されて前記吸込口が移動していることを検出するとともに所定以下の変動では前記規制手段により前記導電体の移動を規制する
ことを特徴とする電気掃除機。
【請求項２】
請求項１記載の電気掃除機において、
電動送風機を有する掃除機本体と、
この掃除機本体に一端が接続され握り部を有する連通管と、
この連通管の他端に着脱可能に接続され前記吸込口が形成された吸込口体とを有し、
前記検出手段は前記連通管に設けられた
ことを特徴とする電気掃除機。
【請求項３】
電動送風機を有する掃除機本体と、
この掃除機本体に接続され被掃除面と対向する吸込口が形成されるとともにこの吸込口に臨んで配置され電動機によって回転駆動される回転清掃体を有する吸込口体とを有し、
前記電動送風機の駆動により前記吸込口から塵埃を吸引する電気掃除機において、
前記吸込口が移動しているか否かを検出する検出手段と、
この検出手段の検出結果に基づいて前記電動機を制御する制御手段とを備え、
前記検出手段は、プラス接点部とマイナス接点部とが所定の間隔をもって離間するとともに同極の接点部が隣接する配置を有するように形成された接動面と、この接動面の変動によって前記接動面上を移動する導電体と、前記互いに隣接する同極の接点部の間に位置するように前記導電体の移動を規制する規制手段とを有し、
前記導電体の移動により前記プラス接点部とマイナス接点部との導通、非導通が繰り返されて前記吸込口が移動していることを検出するとともに所定以下の変動では前記規制手段により前記導電体の移動を規制する
ことを特徴とする電気掃除機。
【請求項４】
請求項１ないし３記載の電気掃除機において、
前記導電体を球状に形成するとともに、
前記接動面は、プラス接点部とマイナス接点部とが所定の間隔をもって離間するとともに同極の接点部が隣接する配置を有するように形成された平板状の基板から構成され、
前記規制手段を前記基板上に形成された凹部とした
ことを特徴とする電気掃除機。
【発明の詳細な説明】
【０００１】
【発明の属する技術分野】
本発明は、被掃除面と対向する吸込口が移動しているか否かを検出し、この検出結果に基づいて吸引用の電動送風機あるいは吸込口体が有する回転清掃体を回転駆動する電動機を制御する電気掃除機に関する。
【０００２】
【従来の技術】
従来、例えば特開平３−１３１２１９号公報に記載されているように、吸込口体の操作を停止した場合には、非掃除状態と判断して電動送風機の吸込性能を低減させて省電力化および低騒音化を図った電気掃除機が知られている。
【０００３】
この公報に記載された電気掃除機は、電動送風機の吸気側の圧力を検出する検出装置を設け、この検出装置が検出する圧力の変動によって吸込口体の操作の有無を検出するようにしている。具体的には、吸込口体が操作されると圧力の変動が大きくなり、操作が停止されると圧力の変動が小さくなることに着目して、圧力の変動が大きい場合には吸込口体が操作されていると判断して吸込性能を増大させ、圧力の変動が小さい場合には吸込口体が操作されていないと判断して吸込性能を低減させるものである。
【０００４】
しかしながら、圧力の変動は被掃除面の種類によって影響を受けることから被掃除面によっては確実に吸込口体の操作の有無を検出することが困難である。すなわち、被掃除面が凹凸のない板の間である場合には、一般的に吸込口体に設けられた移動用車輪により吸込口体下面に形成された吸込口と板の間との間隙は一定に保たれるので吸込口体が操作されても圧力の変動は小さいため、吸込口体が操作されていないと判断される場合がある。
【０００５】
一方、振動を検出するものとして特開平４−１１８６６３号公報に記載されている振動センサが知られている。この公報に記載されている振動センサはぬいぐるみに用いられるもので、ぬいぐるみはその振動が振動センサで検出されると音声を発生するようになっている。
【０００６】
この振動センサは基板上にプラス接点部材とマイナス接点部材を交互に放射状に配設するとともに、この基板上を転動する球状の導電体を設けている。ぬいぐるみが振動すると、球状の導電体が基板上を転動して両接点部材間が導通状態と非導通状態とを繰り返し、これによって振動していることが検出される。また、ぬいぐるみが振動していない場合は球状の導電体が転動しないことから、両接点部材間は導通状態あるいは非導通状態を保ち、これによって振動していないことが検出される。この構成によって同公報にも記載されているように、簡単な構造で振動を精度よく検出することができる。
【０００７】
したがって、上記公報に記載された電気掃除機における、圧力の変動を検出することによって吸込口体の操作の有無を検出する構成に代えて、この振動センサを吸込口体を移動させるための握り部や吸込口体に設けることによって、同公報に記載された電気掃除機の問題点、すなわち被掃除面の種類によっては吸込口体の操作を検出できないという不具合を解消することが可能となる。
【０００８】
【発明が解決しようとする課題】
しかしながら、上記公報に記載された電気掃除機に上記振動センサを単に用いた場合には以下に述べるような問題点があることが判明した。電気掃除機は、電動送風機が動作されて空気を吸引するものであり、その使用中に電動送風機自身の振動、吸気流による振動、吸込口体に回転清掃体を備えたものにおいては回転清掃体の回転による振動等が発生する。そして、上記振動センサは振動を精度よく検出することを追求したものであることから、例えばホースに設けられた握り部を被掃除面上に置いて掃除を中断したような場合等にも上述した微細な振動を検出してしまい、吸込口体が操作されていないにも係わらず操作されていると判断してしまうという問題である。すなわち、電気掃除機はその使用中に上述した振動が発生することから、精度よく振動を検出することを追求した上記振動センサを単に適用しても吸込口が移動しているか否かを確実には検出できないという問題が判明した。
【０００９】
本発明は上記問題点を解決するものであって、どのような被掃除面であっても確実に吸込口が移動しているか否かを検出することができる電気掃除機を提供することを目的とするものである。
【００１０】
【課題を解決するための手段】
上記目的を達成するために請求項１記載の発明は、電動送風機の駆動により被掃除面と対向する吸込口から塵埃を吸引する電気掃除機において、前記吸込口が移動しているか否かを検出する検出手段と、この検出手段の検出結果に基づいて前記電動送風機を制御する制御手段とを備え、前記検出手段は、プラス接点部とマイナス接点部とが所定の間隔をもって離間するとともに同極の接点部が隣接する配置を有するように形成された接動面と、この接動面の変動によって前記接動面上を移動する導電体と、前記互いに隣接する同極の接点部の間に位置するように前記導電体の移動を規制する規制手段とを有し、前記導電体の移動により前記プラス接点部とマイナス接点部との導通、非導通が繰り返されて前記吸込口が移動していることを検出するとともに所定以下の変動では前記規制手段により前記導電体の移動を規制するものである。
【００１１】
この請求項１記載の発明によれば、検出手段は、所定の間隔をもって離間する接点部が形成された接動面とこの接動面の変動によって前記接動面に沿って移動可能な導電体とを有し、この導電体の移動により前記接点部間の導通、非導通が繰り返されて前記吸込口が移動していることを検出するものであって、圧力の変動を検出するものではないことから、吸込口が移動しても圧力の変動が小さい板の間等の被掃除面であっても確実に吸込口が移動していることを検出できる。また、所定以下の変動では導電体の移動を規制する規制手段が設けられているので、電動送風機の駆動に起因する微細な振動のみによって導電体が移動し続けることを防止できるため、吸込口が移動されていないにも係わらず移動されていると判断されることを防止できる。すなわち、吸込口が移動しているか否かを確実に検出することができる。したがって、例えば吸込口が移動していないときに吸込性能を低減させる等の電動送風機の制御を正確に行なうことができる。
【００１２】
また、請求項２記載の発明は、請求項１記載の電気掃除機において、電動送風機を有する掃除機本体と、この掃除機本体に一端が接続され握り部を有する連通管と、この連通管の他端に着脱可能に接続され前記吸込口が形成された吸込口体とを有し、前記検出手段は前記連通管に設けられたものである。
【００１３】
請求項２記載の発明によれば、請求項１記載の発明の作用に加えて、握り部を有し一端が掃除機本体に接続されるとともに他端に吸込口体が着脱可能に接続される連通管に検出手段を設けたことから、連通管に吸込口体を接続した掃除状態でも接続していない掃除状態でも吸込口（吸込口体が連通管に接続されていないときは、連通管の他端開口が吸込口を構成する）が移動しているか否かを検出することができる。
【００１４】
請求項３記載の発明は、電動送風機を有する掃除機本体と、この掃除機本体に接続され被掃除面と対向する吸込口が形成されるとともにこの吸込口に臨んで配置され電動機によって回転駆動される回転清掃体を有する吸込口体とを有し、前記電動送風機の駆動により前記吸込口から塵埃を吸引する電気掃除機において、前記吸込口が移動しているか否かを検出する検出手段と、この検出手段の検出結果に基づいて前記電動機を制御する制御手段とを備え、前記検出手段は、プラス接点部とマイナス接点部とが所定の間隔をもって離間するとともに同極の接点部が隣接する配置を有するように形成された接動面と、この接動面の変動によって前記接動面上を移動する導電体と、前記互いに隣接する同極の接点部の間に位置するように前記導電体の移動を規制する規制手段とを有し、
前記導電体の移動により前記プラス接点部とマイナス接点部との導通、非導通が繰り返されて前記吸込口が移動していることを検出するとともに所定以下の変動では前記規制手段により前記導電体の移動を規制する。
【００１５】
この請求項３記載の発明によれば、検出手段は、所定の間隔をもって離間する接点部が形成された接動面とこの接動面の変動によって前記接動面に沿って移動可能な導電体とを有し、この導電体の移動により前記接点部間の導通、非導通が繰り返されて前記吸込口が移動していることを検出するものであって、圧力の変動を検出するものではないことから、吸込口が移動しても圧力の変動が小さい板の間等の被掃除面であっても確実に吸込口が移動していることを検出できる。また、所定以下の変動では導電体の移動を規制する規制手段が設けられているので、電動送風機の駆動に起因する微細な振動のみによって導電体が移動し続けることを防止できるため、吸込口が移動されていないにも係わらず移動されていると判断されることを防止できる。すなわち、吸込口が移動しているか否かを確実に検出することができる。したがって、例えば吸込口が移動していないときに回転清掃体を停止させる等の電動機の制御を正確に行なうことができる。
【００１６】
請求項４記載の発明は、請求項１ないし３記載の電気掃除機において、前記導電体を球状に形成するとともに、前記接動面は、プラス接点部とマイナス接点部とが所定の間隔をもって離間するとともに同極の接点部が隣接する配置を有するように形成された平板状の基板から構成され、前記規制手段を前記基板上に形成された凹部としたものである。
【００１７】
請求項４記載の発明によれば、請求項１ないし３記載の発明の作用に加えて、前記導電体を球状に形成するとともに、前記接動面を平板状の基板とこの基板上に所定の間隔をもって離間して形成された接点部とから構成したことから、どのような方向に変動しても導電体を確実に移動させることができる一方、基板上に凹部を形成するという簡単な構造で規制手段を構成することができる。
【００１８】
【発明の実施の形態】
本発明の実施の形態を図１ないし図７に基づいて説明する。図１において１は電気掃除機本体で、電動機とこの電動機により回転駆動されるファンとを有する図示しない電動送風機を内蔵し上下ケースから構成される本体ケース２と、この本体ケース２に回動自在に支持され電動送風機の吸気側に配設された図示しない集塵室の上部開口を開閉する集塵蓋３と、本体ケース２の前部下方に設けられた旋回輪（図示せず）と、本体ケース２の後部両側にそれぞれ設けられた一対の後車輪４、４（図面では一方のみを図示する）と、本体ケース２の外周に設けられたバンパ５とを有する。また、この掃除機本体１には前記集塵室に連通する吸込開口６が形成されている。
【００１９】
７は連通管で、吸込開口６に一端が着脱可能に接続されるホース８と、このホース８の他端に着脱可能に接続される延長管９とからなる。ホース８は、吸込開口６に接続される接続管１０と、この接続管１０に一端が取り付けられた可撓性を有するホース本体１１と、このホース本体１１の他端に取り付けられた握り管１２とを有する。この握り管１２は、ホース本体１１を取付けるホース本体取付け部１３と、このホース本体取付け部１３とは分岐して形成されるとともに前記電動送風機や吸込口体に設けられた後述する電動機の駆動状態を設定するための操作部１４が設けられた握り部１５とを備えている。図３に示すようにホース本体取付け部１３には後述する検出手段を収納する収納部Ａが設けられている。延長管９は、握り管１２に着脱可能に接続される第１の延長管１６と、この第１の延長管１６に着脱可能に接続される第２の延長管１７とからなり、第２の延長管には係止具１８が設けられている。この係止具１８は、掃除機本体１を立てた状態で掃除機本体１に形成された図示しない係止部に係止させることができ、いわゆるスタンド収納をすることができるようになっている。
【００２０】
第２の延長管１７には吸込口体１９が着脱可能に接続されている。この吸込口体１９は、第２の延長管１７に着脱可能に接続される接続管２０と、この接続管２０を上下回動自在に支持する吸込口本体２１とを備えていて、延長管９を介さずに直接握り管１２に接続することも可能である。図２に示すように、吸込口本体２１の下面には前方に位置して横長の吸込口２２が開口されているとともに吸込口２２の後方に吸込口本体２１の下面よりも下方に突出する一対の前輪２３、２３が回転自在に支持されている。また、吸込口本体２１の後部には接続管２０を挟んで左右両側に吸込口本体２１の下面よりも下方に突出する一対の後車輪２４、２４が回転自在に支持されている。さらに吸込口本体２１の前部に位置して左右方向に延設されるとともに下面より下方に突出したシールリップ２５が設けられている。
【００２１】
２６は吸込口２２に臨んで設けられた回転清掃体で、両端部に設けられた図示しない一対の軸受により吸込口本体２１内に回転自在に支持されている。そして、回転清掃体２６は被掃除面から塵埃を掻き上げるために回転軸部２７ａに螺旋状に突出して設けられた弾性材からなるブレード２７を複数枚有している。回転清掃体２６の一端にはプーリー２６ａが取り付けられており、このプーリー２６ａと吸込口本体２１内に設けられた電動機２８のプーリー２８ａとにベルト２９が架けられていて、このベルト２９を介して電動機２８の回転力が伝達されることによって回転駆動されるものである。
【００２２】
次に図３〜図６に基づいて、吸込口体１９の吸込口２２の移動を検出する検出手段３０について説明する。検出手段３０は、上述したように握り管１２のホース本体取付け部１３に設けられており、図４、図５に示すように円板状の基板３１とこの基板３１上に後述する導電体の移動空間を形成するための閉塞部材３２とを有するものである。閉塞部材３２は、基板３１の上方に位置する円板状の天板３３と、この天板３３の外周から下方に延びる円筒状の周壁３４と、天板３３の中心部から下方に突出するガイド部３５とからなるものである。これら基板３１と閉塞部材３２とによってリング状の移動空間３６が形成される。
【００２３】
基板３１上には後述する球状の導電体が接離できるようにプラス接点部３７とマイナス接点部３８とが若干突出して設けられて接動面が形成されている。図４に示すように、プラス接点部３７は基板３１の中央に位置する中心部３７ａから放射状に１０本の接点部３７ｂが形成され、そのうちの１本にはリード線３９が接続されている。また、マイナス接点部３８は基板３１の外周部に形成されたリング部３８ａとこのリング部３８ａから中心に向って２０本の接点部３８ｂが形成され、リング部３８ａにはリード線４０が接続されている。すなわち、１本のプラス接点部３７ｂを挟んで両側にマイナス接点部３８ｂが位置する接点部群が１０個形成されている。なお、各リード線３９、４０は図示しない制御回路に接続されている。また、各接点部群間には後述する導電体の球状面に合致する半球状に形成された規制手段としての凹部４１が設けられている。これら凹部４１は周方向に所定の間隔をもって合計１０個形成されている。そして、移動空間３６内には振動によって各接点部３７ｂ、３８ｂに接離しながらこの空間内を移動すなわち接動する球状の導電体４２が移動自在に設けられている。
【００２４】
したがって、握り部１５を握って吸込口体１９を被掃除面上で移動させて掃除をすると、握り管１２の動きによる接動面の連続的な移動や振動すなわち変動によって導電体４２が基板３１上すなわち接動面上を移動するため、両接点部３７、３８が導電体により導通、非導通を繰り返す。そして、この導通、非導通を繰り返す検出信号により後述する制御手段は吸込口２２が移動していること、すなわち掃除中であることを認識することができる。一方、両接点部３７、３８が導通あるいは非導通の状態が所定時間、例えば５秒間続いた場合には吸込口２２が移動していないこと、すなわち掃除中でないことを認識する。例えば、握り部１５が被掃除面上に放置されて掃除を中断したような場合には、導電体４２が基板３１上の一定の位置に止まるため、両接点部３７、３８は導通あるいは非導通の状態に保たれる。このとき、制御手段は吸込口２２が移動していないことを認識することができる。
【００２５】
次に図７に基づいて制御回路について説明する。４３は掃除機本体１内に設けられた電動送風機の電動機で、双方向性制御素子であるトライアック４４を介して交流電源Ｅに直列に接続されている。また、吸込口体１９内に設けられ回転清掃体２６を回転駆動する電動機２８は電動機４３と並列に接続され、トライアック４５を介して交流電源Ｅに直列に接続されている。そして、各トライアック４４、４５のゲートは制御手段４６に接続されている。制御手段４６には図示はしていないが、握り管１２に設けられた検出手段からの検出信号を読み取り吸込口２２の移動の有無を認識する第１の認識手段、同じく握り管１２に設けられた操作部１４からの操作信号を読み取る第２の認識手段、各認識手段で認識した状態に基づいて各トライアック４４、４５のゲートにトリガ信号を出力するトリガ手段等が設けられている。
【００２６】
上記構成に基づき、その作用を説明する。掃除をするには、図２に示すように掃除機本体１にホース８、延長管９、吸込口体１９をこの順に接続する。この状態で、吸込口体１９の吸込口２２は延長管９、ホース８を介して掃除機本体１内の集塵室に連通する。そして、握り管１２に設けられた操作部１４を操作して電動送風機の電動機４３と吸込口体１９に設けられた電動機２８とを適当な駆動状態に設定し、握り部１５を握って吸込口体１９を被掃除面上で移動させると、被掃除面上を移動する吸込口体１９の吸込口２２から塵埃が吸引される。吸引された塵埃は、延長管９、ホース８を介して掃除機本体１内の集塵室内に集塵される。
【００２７】
このとき、握り管１２が操作者によって動かされていることから、上述したように検出手段３０の接動面の変動によって導電体４２が基板３１上を移動するので、制御手段４６は掃除中であると認識する。具体的には、図６（Ａ）に示すように導電体４２がプラス接点部３７ｂとマイナス接点部３８ｂとを導通させる状態と、同図（Ｂ）に示すように両接点部材３７ｂ、３８ｂを非導通とする状態とを繰り返すことによる検出信号を認識するものである。そして、このときは電動送風機の電動機４３と吸込口体１９に設けられた電動機２８とを、操作部１４で設定された駆動状態に保つように制御する。
【００２８】
また、例えば掃除中に来客などにより握り管１２を被掃除面上に放置した場合には、検出手段３０は振動しないことから導電体４２は、図６（Ａ）に示すように両接点部３７ｂ、３８ｂを導通した状態、あるいは同図（Ｃ）に示すように一部が凹部４１に入り込んだ状態、場合によっては同図（Ｂ）に示すようにいずれかの接点部３７ｂまたは３８ｂ上に位置した状態で止まる。したがって、上述したように導電体４２が両接点部３７、３８を導通した状態、あるいは非導通とした状態のいずれかに維持され、この状態が所定時間継続したとき制御手段４６は掃除中でないと認識するものである。そして、このときは電動送風機の電動機４３と吸込口体１９に設けられた電動機２８とを停止させて、省電力化、低騒音化を実現することができる。なお、この状態から再び握り管１２を移動させると電動機２８、４３ともに再駆動される。
【００２９】
本実施の形態の電気掃除機によれば、圧力の変動を検出して吸込口２２の移動の有無の検出すなわち掃除中であるか否かの検出を行なうものではないので、被掃除面の種類によらず確実に検出することができる。具体的には、吸込口２２を移動させても圧力の変動が少ない板の間等の被掃除面であっても、掃除中であるか否かを検出することができる。
【００３０】
しかも、導電体４２は球状であるので、握り管１２がいずれの方向に移動させられても、すなわち検出手段３０がいずれの方向に振動させられてもすなわち接動面がどのように変動しても導電体４２が確実に接動つまり基板３１上で各接点部材に接しながら転動する。したがって、握り管１２を移動させる方向に係わらず、確実に掃除中であることを検出することができる。また、検出手段３０をホース８の握り管１２に設けたことから、延長管９を用いずに吸込口体１９を直接握り管１２に接続した使用状態、あるいは握り管１２から直接塵埃を吸引する使用状態においても非掃除中に電動送風機の電動機４３や吸込口体１９の電動機２８を停止させることができる。なお、検出手段３０を吸込口体１９等に設けて本発明を実施することができることはもちろんである。
【００３１】
ところで、電気掃除機は電動送風機を駆動して吸気することによって掃除を行なうものであり、その使用中に電動送風機の振動、吸気流による振動、回転清掃体の回転による振動が発生し、これら微細な振動によって導電体４２が移動してしまい、吸込口２２が被掃除面上を移動していないにも係わらず移動していると誤認識してしまうおそれがあるが、本実施の形態のものによれば、上記のような微細な振動すなわち所定以下の変動で導電体４２が移動してしまった場合でも、導電体４２は凹部４１上に位置するとこの凹部４１に入り込み動きが規制される。しかも、凹部４１の形状は半球状であって導電体４２の外形に沿った形状に形成されているため、凹部４１に入り込んだ導電体４２の動きは確実に規制される。したがって、プラス接点部３７とマイナス接点部３８とは非導通の状態に維持させることから、制御手段４６は非掃除状態であると認識することができる。言い換えれば、電動送風機の振動等の上述した微細な振動のみによって非掃除中であるにも係わらず掃除中であると誤認識してしまうことを防止できる。また、基板３１に凹部４１を設けるという簡単な構造で導電体４２の移動を規制することができる。なお、凹部４１は電動送風機の吸引能力、回転清掃体の有無等電気掃除機ごとに最適な形状や深さが異なるが、これは本発明の検出手段を採用する電気掃除機ごとに実験等で最適なものを決定すればよい。
【００３２】
上記実施の形態では、掃除機本体１にホース８、延長管９を介して吸込口体１９を接続する、いわゆるキャニスタ型の電気掃除機について説明したが、掃除機本体に直接吸込口体が接続されるアップライト型や掃除機本体に被掃除面と対向する吸込口が形成されたハンディ型の電気掃除機等にも本願発明を適用することができる。また、導電体４２の形状は必ずしも球状に限るものではなく、例えば多面体等に形成することも可能である。さらに、電気掃除機の使用中に発生する電動送風機の振動、吸気流による振動、回転清掃体の回転による振動等の微細な振動のみでは導電体の移動を規制する手段としては基板３１上に設けた凹部４１に限るものではなく、移動空間３６にリブ等を形成することによっても可能である。
【００３３】
【発明の効果】
以上説明したように請求項１記載の発明によれば、圧力の変動を検出するものではないことから、吸込口が移動しても圧力の変動が小さい板の間等の被掃除面であっても確実に吸込口が移動していることを検出できる。また、所定以下の変動では導電体の移動を規制する規制手段が設けられているので、電動送風機の駆動に起因する微細な振動のみによって導電体が移動し続けることを防止できるため、吸込口が移動していないにも係わらず移動していると判断されることを防止できる。すなわち、吸込口が移動しているか否かを確実に検出することができる。したがって、例えば吸込口が移動していないときに吸込性能を低減させる等の電動送風機の制御を正確に行なうことができる。
【００３４】
請求項２記載の発明によれば、請求項１記載の発明の効果に加えて、連通管に吸込口体を接続した掃除状態でも接続していない掃除状態でも吸込口が移動しているか否かを検出することができる。
【００３５】
請求項３の発明によれば、圧力の変動を検出するものではないことから、吸込口が移動しても圧力の変動が小さい板の間等の被掃除面であっても確実に吸込口が移動していることを検出できる。また、所定以下の変動では導電体の移動を規制する規制手段が設けられているので、電動送風機の駆動に起因する微細な振動のみによって導電体が移動し続けることを防止できるため、吸込口が移動していないにも係わらず移動していると判断されることを防止できる。すなわち、吸込口が移動しているか否かを確実に検出することができる。したがって、例えば吸込口が移動していないときに回転清掃体を停止させる等の電動機の制御を正確に行なうことができる。
【００３６】
請求項４の発明によれば、請求項１ないし３記載の発明の効果に加えて、どのような方向に振動しても導電体を確実に移動させることができる一方、基板上に凹部を形成するという簡単な構造で規制手段を構成することができる。
【図面の簡単な説明】
【図１】本発明の電気掃除機の斜視図である。
【図２】本発明の電気掃除機の吸込口体の底面図である。
【図３】本発明の電気掃除機の握り管部分の拡大斜視図である。
【図４】本発明の検出手段の基板部分の平面図である。
【図５】本発明の検出手段の断面図である。(図４のＸ−Ｘ断面)
【図６】本発明の検出手段の部分拡大図である。
【図７】本発明の電気掃除機の制御回路を示すブロック図である。
【符号の説明】
１    掃除機本体
７    連通管
１５    握り部
２２    吸込口
２８    電動機
３０    検出手段
３７    プラス接点部
３８    マイナス接点部
４１    凹部（規制手段）
４２    導電体
４３    電動機（電動送風機）
４６    制御手段
【図１】
0003836264.tif 000002
【図２】
0003836264.tif 000003
【図３】
0003836264.tif 000004
【図４】
0003836264.tif 000005
【図５】
0003836264.tif 000006
【図６】
0003836264.tif 000007
【図７】
0003836264.tif 000008